【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
製品が保管されているエリア内の運営生産性を改良するように適合された自動化システムであって、前記システムは、
前記エリア内で製品を運送するための複数のカートと、
コントローラと
を備え、
前記コントローラは、前記複数のカートのうちの第１のものを第１の人物に関連付けることと、前記エリアの方々に前記第１の人物を先導するように、コンピュータ決定された速度で前記第１のカートを制御して自動的に移動させることとを行うように適合されている、システム。
【請求項２】
前記コントローラは、前記第１の人物の通常ペースと等しい速度および前記第１の人物の通常ペースより速い速度のうちの少なくとも１つで前記第１のカートを自動的に移動させるようにさらに適合されている、請求項１に記載のシステム。
【請求項３】
前記コントローラは、前記第１の人物に向けた前記第１のカートの設定を設定することと、第２の人物が前記第１のカートに関連付けられると、前記第１の人物と異なる前記第２の人物に向けた前記第１のカートの設定を設定することとを行うようにさらに適合されている、請求項１に記載のシステム。
【請求項４】
前記コントローラは、前記第１の人物の能力に基づいて、タスクを前記第１の人物に割り当てるようにさらに適合されている、請求項１に記載のシステム。
【請求項５】
前記コントローラは、前記第１のカートが前記第１の人物に関連付けられている同じ時に、前記複数のカートのうちの第２のものを前記第１の人物に関連付けるようにさらに適合されている、請求項１に記載のシステム。
【請求項６】
前記コントローラは、前記第１のカートが前記第１の人物に関連付けられている同じ時に、前記第１のカートを前記第１の人物と異なる第２の人物に関連付けるようにさらに適合されている、請求項１に記載のシステム。
【請求項７】
前記第１のカートは、製品を受け取るための少なくとも１つの容器を備えている、請求項１に記載のシステム。
【請求項８】
前記第１のカートは、前記第１のカートを推進するためのモータを備えている、請求項１に記載のシステム。
【請求項９】
前記第１のカートは、情報を前記第１の人物に通信するための画面上インターフェースおよび画面外インターフェースのうちの少なくとも１つを備えている、請求項１に記載のシステム。
【請求項１０】
前記画面上インターフェースは、前記エリア内の前記第１のカートの物理的場所、前記エリア内のある製品の物理的場所、前記第１の人物に割り当てられた現在のタスク、種々のタスク間の時間、前記エリアにおける優先順位、および前記第１の人物の成績のうちの少なくとも１つに関する情報を通信するように適合されている、請求項９に記載のシステム。
【請求項１１】
前記画面外インターフェースは、照明およびオーディオ源のうちの少なくとも１つを備えている、請求項９に記載のシステム。
【請求項１２】
前記照明は、製品が配置されるべき、または製品が取り出されるべき前記第１のカート上の容器を識別するように適合されている、請求項１１に記載のシステム。
【請求項１３】
前記照明は、前記第１の人物に割り当てられたタスクに応じて異なるように適合されている、請求項１１に記載のシステム。
【請求項１４】
前記照明は、前記第１のカートのステータス、前記第１のカートの健全性、前記第１のカートの移動速度、および前記第１のカートの方向における変化のうちの少なくとも１つに関する情報を通信するように適合されている、請求項１１に記載のシステム。
【請求項１５】
前記オーディオ源は、前記第１の人物に割り当てられたタスクのステータス、前記第１のカートの複数の人物への近接度、および前記第１のカートのステータスのうちの少なくとも１つに関する情報を通信するように適合されている、請求項１１に記載のシステム。
【請求項１６】
前記第１のカートは、少なくとも部分的に、前記第１のカートからの前記第１の人物の距離を識別すること、前記エリア内における前記第１のカートの位置を決定すること、および前記第１のカートの経路内の障害物を識別することのうちの少なくとも１つのためのセンサを備えている、請求項１に記載のシステム。
【請求項１７】
前記製品を処理するための少なくとも１つのワークステーションをさらに備えている、請求項１に記載のシステム。
【請求項１８】
前記ワークステーションは、ロボットアームを備えている、請求項１７に記載のシステム。
【請求項１９】
前記ワークステーションは、仕分けステーション、梱包ステーション、出荷ステーション、キット化ステーション、個人化ステーション、およびギフト包装ステーションから成る群から選択される、請求項１７に記載のシステム。
【請求項２０】
前記第１の人物および他の人物のリアルタイム成績指標を表示するためのディスプレイをさらに備えている、請求項１に記載のシステム。
【請求項２１】
（ｉ）前記複数のカート、前記第１の人物、および材料取り扱い機器を監視することと、（ｉｉ）各カートの場所を決定することとを行うように適合された複数の頭上カメラをさらに備えている、請求項１に記載のシステム。
【請求項２２】
前記エリアは、倉庫を含む、請求項１に記載のシステム。
【請求項２３】
製品が保管されているエリア内の運営生産性を自動化および改良する方法であって、前記方法は、
第１の人物を前記エリア内で製品を運送するための複数のカートのうちの第１のものに関連付けるステップと、
コントローラを用いて、前記第１のカートを移動させる速度を決定するステップと、
前記エリアの方々に前記第１の人物を先導するように、前記コントローラ決定された速度で前記第１のカートを制御して自動的に移動させるステップと
を含む、方法。
【請求項２４】
前記制御して自動的に移動させるステップは、前記第１の人物の通常ペースと等しい速度および前記第１の人物の通常ペースより速い速度のうちの少なくとも１つで前記第１のカートを自動的に移動させることを含む、請求項２３に記載の方法。
【請求項２５】
前記第１の人物が前記第１のカートに関連付けられている同じ時に、前記第１の人物を前記複数のカートのうちの第２のものに関連付けることをさらに含む、請求項２３に記載の方法。
【請求項２６】
前記第１の人物が前記第１のカートに関連付けられている同じ時に、前記第１の人物と異なる第２の人物を前記第１のカートに関連付けることをさらに含む、請求項２３に記載の方法。
【請求項２７】
前記第１の人物の能力に基づいて、タスクを前記第１の人物に割り当てることをさらに含む、請求項２３に記載の方法。
【請求項２８】
前記第１のカート上の容器を照明し、製品が配置されるべき、または製品が取り出されるべき前記容器を識別することをさらに含む、請求項２３に記載の方法。
【請求項２９】
前記第１の人物に割り当てられたタスクに応じて、前記第１のカート上の容器を異なるように照明することをさらに含む、請求項２３に記載の方法。
【請求項３０】
オーディオ源によって、前記第１の人物に割り当てられたタスクのステータス、前記第１のカートの複数の人物への近接度、および前記第１のカートのステータスのうちの少なくとも１つに関する情報を通信することをさらに含む、請求項２３に記載の方法。
【請求項３１】
前記第１の人物および他の人物のリアルタイム成績指標を表示することをさらに含む、請求項２３に記載の方法。
【請求項３２】
前記エリアは、倉庫を含む、請求項２３に記載の方法。
【手続補正２】
【補正対象書類名】明細書
【補正対象項目名】００１４
【補正方法】変更
【補正の内容】
【００１４】
これらおよび他の目的は、本明細書に開示される本発明の実施形態の利点ならびに特徴とともに、以下の説明、付随の図面、および請求項の参照を通してより明白となるであろう。さらに、本明細書に説明される種々の実施形態の特徴は、互いに排他的ではなく、種々の組み合わせおよび順列で存在し得ることを理解されたい。
本発明は、例えば、以下を提供する。
（項目１）
倉庫運営生産性を改良するように適合された倉庫自動化システムであって、前記システムは、
倉庫内で製品を運送するための複数のカートと、
コントローラと
を備え、
前記コントローラは、前記複数のカートのうちの第１のものを第１の人物に関連付けることと、前記倉庫の方々に前記第１の人物を先導するように前記第１のカートを制御することとを行うように適合されている、システム。
（項目２）
前記コントローラは、前記第１の人物の通常ペースと等しい速度および前記第１の人物の通常ペースより速い速度のうちの少なくとも１つで前記第１のカートを移動させるようにさらに適合されている、項目１に記載のシステム。
（項目３）
前記コントローラは、前記第１の人物に向けた前記第１のカートの設定を設定することと、第２の人物が前記第１のカートに関連付けられると、前記第１の人物と異なる前記第２の人物に向けた前記第１のカートの設定を設定することとを行うようにさらに適合されている、項目１に記載のシステム。
（項目４）
前記コントローラは、前記第１の人物の能力に基づいて、タスクを前記第１の人物に割り当てるようにさらに適合されている、項目１に記載のシステム。
（項目５）
前記コントローラは、前記第１のカートが前記第１の人物に関連付けられている同じ時に、前記複数のカートのうちの第２のものを前記第１の人物に関連付けるようにさらに適合されている、項目１に記載のシステム。
（項目６）
前記コントローラは、前記第１のカートが前記第１の人物に関連付けられている同じ時に、前記第１のカートを前記第１の人物と異なる第２の人物に関連付けるようにさらに適合されている、項目１に記載のシステム。
（項目７）
前記第１のカートは、製品を受け取るための少なくとも１つの容器を備えている、項目１に記載のシステム。
（項目８）
前記第１のカートは、前記第１のカートを推進するためのモータを備えている、項目１に記載のシステム。
（項目９）
前記第１のカートは、情報を前記第１の人物に通信するための画面上インターフェースおよび画面外インターフェースのうちの少なくとも１つを備えている、項目１に記載のシステム。
（項目１０）
前記画面上インターフェースは、前記倉庫内の前記第１のカートの物理的場所、前記倉庫内のある製品の物理的場所、前記第１の人物に割り当てられた現在のタスク、種々のタスク間の時間、前記倉庫における優先順位、および前記第１の人物の成績のうちの少なくとも１つに関する情報を通信するように適合されている、項目９に記載のシステム。
（項目１１）
前記画面外インターフェースは、照明およびオーディオ源のうちの少なくとも１つを備えている、項目９に記載のシステム。
（項目１２）
前記照明は、製品が配置されるべき、または製品が取り出されるべき前記第１のカート上の容器を識別するように適合されている、項目１１に記載のシステム。
（項目１３）
前記照明は、前記第１の人物に割り当てられたタスクに応じて異なるように適合されている、項目１１に記載のシステム。
（項目１４）
前記照明は、前記第１のカートのステータス、前記第１のカートの健全性、前記第１のカートの移動速度、および前記第１のカートの方向における変化のうちの少なくとも１つに関する情報を通信するように適合されている、項目１１に記載のシステム。
（項目１５）
前記オーディオ源は、前記第１の人物に割り当てられたタスクのステータス、前記第１のカートの複数の人物への近接度、および前記第１のカートのステータスのうちの少なくとも１つに関する情報を通信するように適合されている、項目１１に記載のシステム。
（項目１６）
前記第１のカートは、少なくとも部分的に、前記第１のカートからの前記第１の人物の距離を識別すること、前記倉庫内における前記第１のカートの位置を決定すること、および前記第１のカートの経路内の障害物を識別することのうちの少なくとも１つのためのセンサを備えている、項目１に記載のシステム。
（項目１７）
前記製品を処理するための少なくとも１つのワークステーションをさらに備えている、項目１に記載のシステム。
（項目１８）
前記ワークステーションは、ロボットアームを備えている、項目１７に記載のシステム。
（項目１９）
前記ワークステーションは、仕分けステーション、梱包ステーション、出荷ステーション、キット化ステーション、個人化ステーション、およびギフト包装ステーションから成る群から選択される、項目１７に記載のシステム。
（項目２０）
前記第１の人物および他の人物のリアルタイム成績指標を表示するためのディスプレイをさらに備えている、項目１に記載のシステム。
（項目２１）
（ｉ）前記複数のカート、前記第１の人物、および材料取り扱い機器を監視することと、（ｉｉ）各カートの場所を決定することとを行うように適合された複数の頭上カメラをさらに備えている、項目１に記載のシステム。
（項目２２）
倉庫の運営生産性を自動化および改良する方法であって、前記方法は、
第１の人物を倉庫内で製品を運送するための複数のカートのうちの第１のものに関連付けるステップと、
前記倉庫の方々に前記第１の人物を先導するように前記第１のカートを制御するステップと
を含む、方法。
（項目２３）
前記制御するステップは、前記第１の人物の通常ペースと等しい速度および前記第１の人物の通常ペースより速い速度のうちの少なくとも１つで前記第１のカートを移動させることを含む、項目２２に記載の方法。
（項目２４）
前記第１の人物が前記第１のカートに関連付けられている同じ時に、前記第１の人物を前記複数のカートのうちの第２のものに関連付けることをさらに含む、項目２２に記載の方法。
（項目２５）
前記第１の人物が前記第１のカートに関連付けられている同じ時に、前記第１の人物と異なる第２の人物を前記第１のカートに関連付けることをさらに含む、項目２２に記載の方法。
（項目２６）
前記第１の人物の能力に基づいて、タスクを前記第１の人物に割り当てることをさらに含む、項目２２に記載の方法。
（項目２７）
前記第１のカート上の容器を照明し、製品が配置されるべき、または製品が取り出されるべき前記容器を識別することをさらに含む、項目２２に記載の方法。
（項目２８）
前記第１の人物に割り当てられたタスクに応じて、前記第１のカート上の容器を異なるように照明することをさらに含む、項目２２に記載の方法。
（項目２９）
オーディオ源によって、前記第１の人物に割り当てられたタスクのステータス、前記第１のカートの複数の人物への近接度、および前記第１のカートのステータスのうちの少なくとも１つに関する情報を通信することをさらに含む、項目２２に記載の方法。
（項目３０）
前記第１の人物および他の人物のリアルタイム成績指標を表示することをさらに含む、項目２２に記載の方法。